(57)【要約】【課題】軸部と支持部との間に入り込んだ異物を除去することで、フラップの動きが悪くなることを抑制できる軸部構造のフラップを備えるグリルシャッターを提供する。【解決手段】グリルシャッター１００は、車両用のグリル１の後方に配置され、軸部１１を両端に有するフラップ１０と、フラップ１０の軸部１１を回動自在に嵌合支持する支持部２１を有する枠体２０と、を備える。フラップ１０の軸部１１は、軸部１１の軸方向に沿って延びる切欠き部１１ａを有する。【選択図】図３Ｂ
2016055719.tif 000002
【特許請求の範囲】
【請求項１】
車両用グリルの後方に配置され、
軸部を両端に有するフラップと、
前記フラップの前記軸部を回動自在に嵌合支持する支持部を有する枠体と、を備えるグリルシャッターであって、
前記フラップの前記軸部は、前記軸部の軸方向に沿って延びる切欠き部、を有する、
ことを特徴とするグリルシャッター。
【請求項２】
請求項１に記載のグリルシャッターであって、
前記軸部の前記切欠き部は、前記軸部の径方向内側に窪んだ断面形状である、
ことを特徴とするグリルシャッター。
【請求項３】
請求項２に記載のグリルシャッターであって、
前記軸部の前記切欠き部は、Ｕ字状の断面形状である、
ことを特徴とするグリルシャッター。
【発明の詳細な説明】
【技術分野】
【０００１】
本発明は車両用グリルに取り付けられるグリルシャッターに関するものである。
【背景技術】
【０００２】
車両用グリルに取り付けられ、自在継手を介してアクチュエータからの駆動力をフィン（フラップ）に伝達することで開閉するように構成されたグリルシャッターが特許文献１に開示されている。特許文献１のグリルシャッターでは、フラップの両端に位置する軸部は、回動できるようにグリル枠（枠体）の支持部に取り付けられる。
【先行技術文献】
【特許文献】
【０００３】
【特許文献１】特開２０１２−３５８２９号公報
【発明の概要】
【発明が解決しようとする課題】
【０００４】
しかしながら、特許文献１に記載のグリルシャッターでは、フラップの軸部は、回動できるように軸部と枠体の支持部との間は完全には固定せず、微小な隙間を空けて嵌合保持されることとなる。このため、軸部と支持部との間に異物が入り込んだ場合には、異物を噛んで抵抗がかかるので回動に必要なトルクが増加してフラップの動きが悪くなるという問題がある。また、フラップは外気にさらされているので、駐停車時や車両走行時に異物が軸部と支持部との間に入り込む蓋然性が高く、上記の問題は容易に発生しやすい。
【０００５】
本発明はこのような問題を解決するために発明されたもので、軸部と支持部との間に入り込んだ異物を除去することで、フラップの動きが悪くなることを抑制できる軸部構造のフラップを備えるグリルシャッターを提供することを目的とする。
【課題を解決するための手段】
【０００６】
本発明のある態様に係るグリルシャッターは、車両用グリルに取り付けられ、軸部を両端に有するフラップと、フラップの軸部を回動自在に嵌合支持する支持部を有する枠体と、を備える。フラップの軸部は、回動軸方向に沿って延びる切欠き部を有する。
【発明の効果】
【０００７】
このような態様によれば、軸部の切欠き部と枠体の支持部との間に空間が形成され、当該空間を通過する空気に吹き付けられて軸部と支持部との間に入り込んだ異物が除去されるので、フラップの動きが悪くなることを抑制できる。
【図面の簡単な説明】
【０００８】
【図１】本発明の実施形態のグリルシャッターをエンジンルーム内に設置した時の態様を概略的に示す断面図である。
【図２】グリルシャッターの斜視図である。
【図３Ａ】フラップの軸部を枠体の支持部に取り付ける前の軸部と支持部の斜視図である。
【図３Ｂ】フラップの軸部を枠体の支持部に取り付けたときの軸部と支持部の斜視図である。
【図４】変形例のフラップの軸部を枠体の支持部に取り付けたときの軸部と支持部の斜視図である。
【発明を実施するための形態】
【０００９】
以下、図面を参照して、本発明の実施形態について説明する。
【００１０】
図１は、本実施形態のグリルシャッター１００をエンジンルーム内に配置した時の態様を概略的に示す断面図である。エンジンルーム前方には、空気をエンジンルーム内に取り込むグリル１と、グリル１の後方に配置されるラジエータ２００と、車両の前部を保護するフロントバンパー３００と、が設けられる。
【００１１】
ラジエータ２００は、グリル１から取り込んだ空気でエンジン冷却水を冷却する熱交換器である。
【００１２】
グリル１は、後方にグリルシャッター１００を備える。グリルシャッター１００が開閉駆動することによって、グリル１が設けられている部位の開口面積が変化する。
【００１３】
グリルシャッター１００は、図２に示すように、長板状の複数枚（本実施例では３枚）のフラップ１０と、フラップ１０が取り付けられる枠体２０と、フラップ１０同士を連結するリンクブラケット３０と、フラップ１０を回動するアクチュエータ４０と、を備える。
【００１４】
フラップ１０は、水平方向に延びる長板状の部材であり、両端に突出形成された軸部１１を有し、各フラップ１０が上下に３列状に併設される。フラップ１０を回動させてフラップ１０の角度を変えると、グリル１が設けられている部位の開口面積が変化する。例えば、フラップ１０の回動する角度、すなわち回動角を閉角度とした場合には、グリル１の開口面積は最小、すなわち閉じられた状態となる。フラップ１０の回動角を開角度とした場合には、グリル１の開口面積は最大、すなわち開かれた状態となる。
【００１５】
軸部１１は、フラップ１０の回転軸であり、軸部１１には、図３Ａに示すように、切欠き部１１ａが軸部１１の軸方向に沿って形成される。
【００１６】
切欠き部１１ａは、軸部１１の径方向内側に窪んだＵ字状の断面形状である。切欠き部１１ａは、軸部１１の回転軸を挟んで対向するように２つ形成されている。切欠き部１１ａは、軸部１１の外周面をそれぞれ略９０°切り欠くように形成される。
【００１７】
枠体２０は、図２に示すように、フラップ１０を外側から囲うように形成されており、内部が開口した矩形の枠部材である。枠体２０は、図３Ａに示すように、フラップ１０の軸部１１を回動自在に嵌合支持する支持部２１を有する。
【００１８】
支持部２１は、フラップ１０の軸部１１の直径Ｌより僅かに大きい径に貫通形成された孔である。枠体２０の両側の支持部２１間は、フラップ１０の両側の軸部１１を除いた長さに設定される。支持部２１と軸部１１とを嵌合させることで、枠体２０内にフラップ１０が取り付けられる。軸部１１は、フラップ１０を撓ませるようにして支持部２１の中へ挿入される。図３Ｂに示すように、支持部２１と軸部１１とを嵌合させると、支持部２１と軸部１１の切欠き部１１ａとの間には、所定の空間Ｓが形成される。図３Ｂは、本実施形態のフラップ１０の軸部１１を枠体２０の支持部２１に取り付けたときの軸部１１と支持部２１の斜視図である。また、支持部２１と軸部１１との間には微小な隙間Δｄが形成される。軸部１１は、隙間Δｄがあることによって支持部２１との摩擦抵抗を抑制して支持部２１内で滑らかに回動でき、回動に必要なトルクを小さくすることができる。
【００１９】
リンクブラケット３０は、図２に示すように、３枚のフラップ１０を中央付近で連結するように車両後方側に設置される。リンクブラケット３０には３枚のフラップ１０が連結されているので、３枚のフラップ１０のうちいずれか１枚を回動させれば残りの２枚のフラップ１０が連動して軸部１１を回転軸にして回動する。
【００２０】
アクチュエータ４０は、枠体２０の側部に取り付けられる。アクチュエータ４０は、３枚のフラップ１０のうちいずれか１枚の軸部１１に接続され、フラップ１０の回動を行うための駆動力を軸部１１に伝える。アクチュエータ４０が、閉角度から開角度まで９０°の範囲で軸部１１を回動させることで、フラップ１０は回動制御される。
【００２１】
フラップ１０の回動によって、軸部１１の切欠き部１１ａと支持部２１との間の空間Ｓは、支持部２１の内周面に沿って周方向に移動する。軸部１１の外周面をそれぞれ略９０°切り欠くように切欠き部１１ａが形成されているので、空間Ｓは、フラップ１０が９０°回転することで支持部２１の内周面の全周に渡り移動することになる。なお、切欠き部１１ａが軸部１１の外周面をそれぞれ９０°未満に切り欠くよう形成されている場合には、フラップ１０の回動角範囲を９０°以上に設定することによって、空間Ｓが支持部２１の内周面の全周に渡り移動できるようにしてもよい。
【００２２】
上記した本発明の実施形態によるグリルシャッター１００によれば、以下の効果を得ることができる。
【００２３】
本実施形態によるグリルシャッター１００は、車両用のグリル１の後方に配置され、軸部１１を両端に有するフラップ１０と、フラップ１０の軸部１１を回動自在に嵌合支持する支持部２１を有する枠体２０と、を備える。フラップ１０の軸部１１は、軸部１１の軸方向に沿って延びる切欠き部１１ａを有する。
【００２４】
このような構成とすることで、軸部１１の切欠き部１１ａと枠体２０の支持部２１との間には、空間Ｓが形成される。このため、空間Ｓを通過する空気によって、軸部１１と支持部２１との間の微小な隙間Δｄに入り込んだ異物が除去されるので、隙間Δｄで異物を噛んでフラップ１０の動きが悪くなることを抑制できる。
【００２５】
本実施形態によるグリルシャッター１００では、軸部１１の切欠き部１１ａは、軸部１１の回転軸の中心方向に窪んだＵ字状の断面形状である。
【００２６】
このような構成とすることで、軸部１１の回転軸の中心方向に窪ませた分だけ、切欠き部１１ａと支持部との間の空間Ｓを広く形成できるので、異物を除去するための空気をより効率的に空間Ｓ内に取り込むことができる。また、上述のように、軸部１１の外周面を大きく切り欠かなくても空間Ｓを広く形成できるので、軸部１１の支持部２１と接触する回動面を広く確保できる。このため、軸部１１の剛性を保持することができ安定してフラップ１０を回動させることができる。
【００２７】
以上、本発明の実施形態について説明したが、上記実施形態は本発明の適用例の一部を示したに過ぎず、本発明の技術的範囲を上記実施形態の具体的構成に限定する趣旨ではない。
【００２８】
上記実施形態では、切欠き部１１ａの断面形状をＵ字状にして窪ませているが、他の形状によっても窪ませることができる。例えば、切欠き部１１ａの断面形状は、Ｕ字状に代えて、Ｖ字状や、底面と２つの斜面とを有する凹み形状としてもよい。
【００２９】
また、図４に示すように、切欠き部１１ａを直線的に形成してもよい。このようにすることで、切欠き部１１ａをより簡単に形成することができる。
【符号の説明】
【００３０】
１００  グリルシャッター
１      グリル
１０    フラップ
１１    軸部
１１ａ    切欠き部
２０    枠体
２１    支持部
３０    リンクブラケット
４０    アクチュエータ
２００  ラジエータ
３００  フロントバンパー
【図１】
2016055719.tif 000003
【図２】
2016055719.tif 000004
【図３Ａ】
2016055719.tif 000005
【図３Ｂ】
2016055719.tif 000006
【図４】
2016055719.tif 000007